(57)【特許請求の範囲】
【請求項１】
土ふまずを矯正するための矯正部を含む土ふまずの形状を整えるための足用被服において、
足背側に設けられて土ふまずを引き上げるための部位を上面矯正部として、前記矯正部にこの上面矯正部が含まれること、
前記上面矯正部の内側縁である上面内側縁の長さが前記上面矯正部の外側縁である上面外側縁の長さよりも長いこと、
前記上面内側縁の前側端部である上面内前端部と前記上面外側縁の前側端部である上面外前端部とを結ぶ前記上面矯正部の縁を上面前側縁とし、前記上面内側縁の後側端部である上面内後端部と前記上面外側縁の後側端部である上面外後端部とを結ぶ前記上面矯正部の縁を上面後側縁として、これら上面前側縁および上面後側縁のそれぞれの少なくとも一部分が足の前後方向に対して傾斜していること
を特徴とする土ふまずの形状を整えるための足用被服。
【請求項２】
土ふまずを矯正するための矯正部を含む土ふまずの形状を整えるための足用被服において、
足背側に設けられて土ふまずを引き上げるための部位を上面矯正部として、前記矯正部にこの上面矯正部が含まれること、
前記上面矯正部の内側縁である上面内側縁の長さが前記上面矯正部の外側縁である上面外側縁の長さよりも長いこと、
前記上面内側縁の前側端部である上面内前端部と前記上面外側縁の前側端部である上面外前端部とを結ぶ前記上面矯正部の縁を上面前側縁とし、前記上面内側縁の後側端部である上面内後端部と前記上面外側縁の後側端部である上面外後端部とを結ぶ前記上面矯正部の縁を上面後側縁として、これら上面前側縁および上面後側縁の少なくとも一方の全体が足の前後方向に対して傾斜していること
を特徴とする土ふまずの形状を整えるための足用被服。
【請求項３】
請求項１または２に記載の土ふまずの形状を整えるための足用被服において、
前記上面矯正部が前記上面内側縁および前記上面前側縁および前記上面後側縁を線分とする三角形状に相当する部位として形成されること、
前記上面外側縁が前記上面前側縁および前記上面後側縁の交点であり前記三角形状の頂点に相当する部位として形成されること
を特徴とする土ふまずの形状を整えるための足用被服。
【請求項４】
土ふまずを矯正するための矯正部を備える土ふまずの形状を整えるための足用被服において、
足背側に設けられて土ふまずを引き上げるための部位を上面矯正部として、前記矯正部にこの上面矯正部が含まれること、
前記上面矯正部の内側縁である上面内側縁の長さが前記上面矯正部の外側縁である上面外側縁の長さよりも長いこと、
前記上面内側縁の前側端部である上面内前端部と前記上面外側縁の前側端部である上面外前端部とを結ぶ前記上面矯正部の縁を上面前側縁とし、前記上面内側縁の後側端部である上面内後端部と前記上面外側縁の後側端部である上面外後端部とを結ぶ前記上面矯正部の縁を上面後側縁として、これら上面前側縁および上面後側縁のそれぞれが段形状であること
を特徴とする土ふまずの形状を整えるための足用被服。
【請求項５】
請求項１〜４のいずれか一項に記載される土ふまずの形状を整えるための足用被服において、
前記上面内側縁が足の内側の側面に対応する部位に形成されること、
前記上面外側縁が足の外側の側面に対応する部位に形成されること
を特徴とする土ふまずの形状を整えるための足用被服。
【請求項６】
請求項１〜５のいずれか一項に記載される土ふまずの形状を整えるための足用被服において、
足底側に設けられて前記上面矯正部により土ふまずを引き上げる力を強くするための部位を下面矯正部として、前記矯正部にこの下面矯正部が含まれること
を特徴とする土ふまずの形状を整えるための足用被服。
【請求項７】
請求項６に記載の土ふまずの形状を整えるための足用被服において、
前記下面矯正部の内側縁である下面内側縁の長さが前記下面矯正部の外側縁である下面外側縁の長さよりも長いこと、
前記下面内側縁の前側端部である下面内前端部と前記下面外側縁の前側端部である下面外前端部とを結ぶ前記下面矯正部の縁を下面前側縁とし、前記下面内側縁の後側端部である下面内後端部と前記下面外側縁の後側端部である下面外後端部とを結ぶ前記下面矯正部の縁を下面後側縁として、これら下面前側縁および下面後側縁のそれぞれの少なくとも一部分が足の前後方向に対して傾斜していること
を特徴とする土ふまずの形状を整えるための足用被服。
【請求項８】
請求項７に記載の土ふまずの形状を整えるための足用被服において、
前記下面矯正部が前記下面内側縁および前記下面前側縁および前記下面後側縁を線分とする三角形状に相当する部位として形成されること、
前記下面外側縁が前記下面前側縁および前記下面後側縁の交点であり前記三角形状の頂点に相当する部位として形成されること
を特徴とする土ふまずの形状を整えるための足用被服。
【請求項９】
請求項１〜５のいずれか一項に記載される土ふまずの形状を整えるための足用被服において、
足底側に設けられて前記上面矯正部により土ふまずを引き上げる力を強くするための部位を下面矯正部として、前記矯正部にこの下面矯正部が含まれること、
前記下面矯正部の内側縁である下面内側縁の長さが前記下面矯正部の外側縁である下面外側縁の長さよりも長いこと、
前記下面内側縁の前側端部である下面内前端部と前記下面外側縁の前側端部である下面外前端部とを結ぶ前記下面矯正部の縁を下面前側縁とし、前記下面内側縁の後側端部である下面内後端部と前記下面外側縁の後側端部である下面外後端部とを結ぶ前記下面矯正部の縁を下面後側縁として、これら下面前側縁および下面後側縁のそれぞれが段形状であること
を特徴とする土ふまずの形状を整えるための足用被服。
【請求項１０】
請求項７〜９のいずれか一項に記載される土ふまずの形状を整えるための足用被服において、
前記下面内側縁が足の内側の側面に対応する部位に形成されること、
前記下面外側縁が足の外側の側面に対応する部位に形成されること
を特徴とする土ふまずの形状を整えるための足用被服。
【請求項１１】
請求項７〜１０のいずれか一項に記載の土ふまずの形状を整えるための足用被服において、
前記上面矯正部の上面内側縁と前記下面矯正部の下面内側縁とが足の内側の側面に対応する部位において互いに接続されていること
を特徴とする土ふまずの形状を整えるための足用被服。
【請求項１２】
請求項１〜１１のいずれか一項に記載の土ふまずの形状を整えるための足用被服において、
親指を覆うための第１袋部と、人差し指および中指および薬指および小指を覆うための第２袋部とが互いに分離して形成されること
を特徴とする土ふまずの形状を整えるための足用被服。
【発明の詳細な説明】
【技術分野】
【０００１】
本発明は、土ふまずを矯正するための矯正部を含む土ふまずの形状を整えるための足用被服に関する。
【背景技術】
【０００２】
例えば、長時間にわたり歩行を継続したときには、足の内側の側面に形成される土ふまずの縦アーチが崩れることがある。また、年配になるにつれて、土ふまずの縦アーチが崩れやすくなることも知られている。このときには、歩行において着地時に足にかかる衝撃が低減されにくくなる。また、蹴りだし時に必要なばねの作用等の効果が得られにくくなる。
【０００３】
そこで、従来から土ふまずの縦アーチを矯正する足用被服が提案されている。その一例として、特許文献１に記載のものが挙げられる。この足用被服は、土ふまずを引き上げる部位として、足底から足の内側の側面にわたり設けられる緊締力の強い第１領域と、この第１領域の周囲および足背に設けられて第１領域よりも緊締力が弱い第２領域とを有する。これにより、ユーザがこの足用被服を着用したときには、下側から上側および内側から外側に向かう力が土ふまずに加えられるため、土ふまずが矯正される。
【先行技術文献】
【特許文献】
【０００４】
【特許文献１】特開２００８−１１１２２４号公報
【発明の概要】
【発明が解決しようとする課題】
【０００５】
ところで、土ふまずの形状を整えるためには、土ふまずの縦アーチを引き上げることが有効であることが確認されている。
しかし、上記足用被服においては、第２領域が舟状骨の上方のみを覆う幅の細い部分として形成されているため、土ふまずの縦アーチを引き上げる力が十分に得られるとは言い難い。
【０００６】
本発明はこのような実情に鑑みてなされたものであり、その目的は、土ふまずの縦アーチをより適切に引き上げることのできる足用被服を提供することにある。
【課題を解決するための手段】
【０００７】
以下、上記目的を達成するための手段およびその作用効果について記載する。
（１）請求項１に記載の発明は、土ふまずを矯正するための矯正部を含む土ふまずの形状を整えるための足用被服において、足背側に設けられて土ふまずを引き上げるための部位を上面矯正部として、前記矯正部にこの上面矯正部が含まれること、前記上面矯正部の内側縁である上面内側縁の長さが前記上面矯正部の外側縁である上面外側縁の長さよりも長いこと、前記上面内側縁の前側端部である上面内前端部と前記上面外側縁の前側端部である上面外前端部とを結ぶ前記上面矯正部の縁を上面前側縁とし、前記上面内側縁の後側端部である上面内後端部と前記上面外側縁の後側端部である上面外後端部とを結ぶ前記上面矯正部の縁を上面後側縁として、これら上面前側縁および上面後側縁のそれぞれの少なくとも一部分が足の前後方向に対して傾斜していることを要旨としている。
【０００８】
この足用被服がユーザに着用されたときには、足の下側から上側に向かう力、および内側から外側に向かう力が上面矯正部により土ふまずに付与される。すなわち、土ふまずの縦アーチを下側から上側に向けて引き上げる力、および土ふまずの縦アーチを内側から外側に向けて引っ張る力がユーザの足に作用する。このため、土ふまずの縦アーチがより適切に引き上げられる。
【０００９】
（２）請求項２に記載の発明は、土ふまずを矯正するための矯正部を含む土ふまずの形状を整えるための足用被服において、足背側に設けられて土ふまずを引き上げるための部位を上面矯正部として、前記矯正部にこの上面矯正部が含まれること、前記上面矯正部の内側縁である上面内側縁の長さが前記上面矯正部の外側縁である上面外側縁の長さよりも長いこと、前記上面内側縁の前側端部である上面内前端部と前記上面外側縁の前側端部である上面外前端部とを結ぶ前記上面矯正部の縁を上面前側縁とし、前記上面内側縁の後側端部である上面内後端部と前記上面外側縁の後側端部である上面外後端部とを結ぶ前記上面矯正部の縁を上面後側縁として、これら上面前側縁および上面後側縁の少なくとも一方の全体が足の前後方向に対して傾斜していることを要旨としている。
【００１０】
この足用被服がユーザに着用されたとき、足の下側から上側に向かう力、および内側から外側に向かう力が上面矯正部により土ふまずに付与される。すなわち、土ふまずの縦アーチを下側から上側に向けて引き上げる力、および土ふまずの縦アーチを内側から外側に向けて引っ張る力がユーザの足に作用する。このため、土ふまずの縦アーチがより適切に引き上げられる。
【００１１】
（３）請求項３に記載の発明は、請求項１または２に記載の土ふまずの形状を整えるための足用被服において、前記上面矯正部が前記上面内側縁および前記上面前側縁および前記上面後側縁を線分とする三角形状に相当する部位として形成されること、前記上面外側縁が前記上面前側縁および前記上面後側縁の交点であり前記三角形状の頂点に相当する部位として形成されることを要旨としている。
【００１２】
この発明によれば、上面矯正部において上面前側縁および上面後側縁のそれぞれから上面矯正部の中央部分に向かうにつれて、同矯正部から土ふまずに付与される力が大きくなる。また、三角形状の頂点に相当する上面外側縁において上面矯正部から土ふまずに付与される力が最も大きくなる。このため、当該足用被服がユーザに着用されたとき、土ふまずの形状をアーチ形状に維持することに適した力が上面矯正部により土ふまずに付与される。これにより、土ふまずの縦アーチを引き上げる効果をより高めることができる。
【００１３】
（４）請求項４に記載の発明は、土ふまずを矯正するための矯正部を備える土ふまずの形状を整えるための足用被服において、足背側に設けられて土ふまずを引き上げるための部位を上面矯正部として、前記矯正部にこの上面矯正部が含まれること、前記上面矯正部の内側縁である上面内側縁の長さが前記上面矯正部の外側縁である上面外側縁の長さよりも長いこと、前記上面内側縁の前側端部である上面内前端部と前記上面外側縁の前側端部である上面外前端部とを結ぶ前記上面矯正部の縁を上面前側縁とし、前記上面内側縁の後側端部である上面内後端部と前記上面外側縁の後側端部である上面外後端部とを結ぶ前記上面矯正部の縁を上面後側縁として、これら上面前側縁および上面後側縁のそれぞれが段形状であることを要旨としている。
【００１４】
この足用被服がユーザに着用されたときには、足の下側から上側に向かう力、および内側から外側に向かう力が上面矯正部により土ふまずに付与される。すなわち、土ふまずの縦アーチを下側から上側に向けて引き上げる力、および土ふまずの縦アーチを内側から外側に向けて引っ張る力がユーザの足に作用する。このため、土ふまずの縦アーチがより適切に引き上げられる。
【００１５】
（５）請求項５に記載の発明は、請求項１〜４のいずれか一項に記載される土ふまずの形状を整えるための足用被服において、前記上面内側縁が足の内側の側面に対応する部位に形成されること、前記上面外側縁が足の外側の側面に対応する部位に形成されることを要旨としている。
【００１６】
この発明によれば、上面内側縁が足の内側の側面に対応する部位に形成されるとともに上面外側縁が足の外側の側面に対応する部位に形成されるため、すなわち、上面矯正部が足背を介して足の内側の側面から足の外側の側面までにわたり形成される。これにより、土ふまずの広範囲に上面矯正部からの力が付与されるため、土ふまずの縦アーチがより適切に引き上げられる。
【００１７】
（６）請求項６に記載の発明は、請求項１〜５のいずれか一項に記載される土ふまずの形状を整えるための足用被服において、足底側に設けられて前記上面矯正部により土ふまずを引き上げる力を強くするための部位を下面矯正部として、前記矯正部にこの下面矯正部が含まれることを要旨としている。
【００１８】
この足用被服がユーザに着用されたとき、上面矯正部により土ふまずの縦アーチを引き上げる力が下面矯正部により強くされる。このため、土ふまずの縦アーチがより適切に引き上げられる。
【００１９】
（７）請求項７に記載の発明は、請求項６に記載の土ふまずの形状を整えるための足用被服において、前記下面矯正部の内側縁である下面内側縁の長さが前記下面矯正部の外側縁である下面外側縁の長さよりも長いこと、前記下面内側縁の前側端部である下面内前端部と前記下面外側縁の前側端部である下面外前端部とを結ぶ前記下面矯正部の縁を下面前側縁とし、前記下面内側縁の後側端部である下面内後端部と前記下面外側縁の後側端部である下面外後端部とを結ぶ前記下面矯正部の縁を下面後側縁として、これら下面前側縁および下面後側縁のそれぞれの少なくとも一部分が足の前後方向に対して傾斜していることを要旨としている。
【００２０】
土ふまずの形状を整える効果を高めるには、矯正部から土ふまずに付与される力の分布を縦アーチの形状に合わせることが有効と考えられる。すなわち、土ふまずの前後方向において外側よりも中央側により大きな力を付与することが好ましい。
【００２１】
上記発明では、下面外側縁の長さを下面内側縁の長さよりも短くしているため、下面矯正部から土ふまずに付与される力が下面矯正部の前後方向の端部側よりも中央側において大きくなる。これにより、土ふまずの形状を整える効果がより高められる。
【００２２】
（８）請求項８に記載の発明は、請求項７に記載の土ふまずの形状を整えるための足用被服において、前記下面矯正部が前記下面内側縁および前記下面前側縁および前記下面後側縁を線分とする三角形状に相当する部位として形成されること、前記下面外側縁が前記下面前側縁および前記下面後側縁の交点であり前記三角形状の頂点に相当する部位として形成されることを要旨としている。
【００２３】
この発明によれば、下面矯正部において下面前側縁および下面後側縁のそれぞれから下面矯正部の中央部分に向かうにつれて、上面矯正部により土ふまずを引き上げる力が大きくなる。このため、土ふまずの縦アーチがより適切に引き上げられる。
【００２４】
（９）請求項９に記載の発明は、請求項１〜５のいずれか一項に記載される土ふまずの形状を整えるための足用被服において、足底側に設けられて前記上面矯正部により土ふまずを引き上げる力を強くするための部位を下面矯正部として、前記矯正部にこの下面矯正部が含まれること、前記下面矯正部の内側縁である下面内側縁の長さが前記下面矯正部の外側縁である下面外側縁の長さよりも長いこと、前記下面内側縁の前側端部である下面内前端部と前記下面外側縁の前側端部である下面外前端部とを結ぶ前記下面矯正部の縁を下面前側縁とし、前記下面内側縁の後側端部である下面内後端部と前記下面外側縁の後側端部である下面外後端部とを結ぶ前記下面矯正部の縁を下面後側縁として、これら下面前側縁および下面後側縁のそれぞれが段形状であることを要旨としている。
【００２５】
この足用被服がユーザに着用されたとき、上面矯正部により土ふまずの縦アーチを引き上げる力が下面矯正部により強くされる。このため、土ふまずの縦アーチがより適切に引き上げられる。
【００２６】
（１０）請求項１０に記載の発明は、請求項７〜９のいずれか一項に記載される土ふまずの形状を整えるための足用被服において、前記下面内側縁が足の内側の側面に対応する部位に形成されること、前記下面外側縁が足の外側の側面に対応する部位に形成されることを要旨としている。
【００２７】
この発明によれば、下面内側縁が足の内側の側面に対応する部位に形成されるとともに下面外側縁が足の外側の側面に対応する部位に形成される、すなわち下面矯正部が足の内側の側面から足底を介して足の外側の側面までにわたり形成される。これにより、土ふまずの広範囲に下面矯正部からの力が付与されるため、土ふまずの縦アーチがより適切に引き上げられる。
【００２８】
（１１）請求項１１に記載の発明は、請求項７〜１０のいずれか一項に記載の土ふまずの形状を整えるための足用被服において、前記上面矯正部の上面内側縁と前記下面矯正部の下面内側縁とが足の内側の側面に対応する部位において互いに接続されていることを要旨としている。
【００２９】
この発明によれば、上面矯正部と下面矯正部とが連続して形成されているため、下面矯正部を引き上げる力が上面矯正部から下面矯正部に直接的に作用する。このため、土ふまずの縦アーチを引き上げる効果がより高められる。
【００３０】
（１２）請求項１２に記載の発明は、請求項１〜１１のいずれか一項に記載の土ふまずの形状を整えるための足用被服において、親指を覆うための第１袋部と、人差し指および中指および薬指および小指を覆うための第２袋部とが互いに分離して形成されることを要旨としている。
【００３１】
この発明の足用被服は、第１袋部および第２袋部が互いに分離して形成されているため、すなわち足袋型の足用被服として形成されているため、ユーザがこの足用被服を着用したときに足指を動かしやすい。これにより、ユーザが歩行時に地面を捉えやすくなるため、正しい歩行パターンで歩行することができる。なお、ここでの正しい歩行パターンとは、着地時において「踵」および「足の外側」および「足指の付け根」および「指先」の順に足の重心が移動するとともに、離地時において「踵」および「親指以外の足指」および「親指」の順に足が地面から離れるように重心が移動するパターンをいう。
【図面の簡単な説明】
【００３２】
【図１】本発明の一実施形態の土ふまずの形状を整えるための足用被服について、これを着用した右足の平面を示す平面図。
【図２】同実施形態の足用被服について、これを着用した右足の底面を示す底面図。
【図３】同実施形態の足用被服について、これを着用した右足を親指側から見たときの側面を示す側面図。
【図４】同実施形態の足用被服について、これを着用した右足の小指側から見たときの側面を示す側面図。
【図５】同実施形態の足用被服について、その平面構造を示す平面図。
【図６】同実施形態の足用被服について、その底面構造を示す底面図。
【図７】同実施形態の足用被服について、これを着用した右足を親指側から見たときの側面を示す側面図。
【図８】同実施形態の足用被服について、これを着用した右足を小指側から見たときの側面を示す側面図。
【図９】本発明のその他の一実施形態の足用被服について、その平面構造を示す平面図。
【図１０】本発明のその他の一実施形態の足用被服について、その平面構造を示す平面図。
【図１１】本発明のその他の一実施形態の足用被服について、その平面構造を示す平面図。
【図１２】本発明のその他の一実施形態の足用被服について、その平面構造を示す平面図。
【図１３】本発明のその他の一実施形態の足用被服について、その平面構造を示す平面図。
【図１４】本発明のその他の一実施形態の足用被服について、その平面構造を示す平面図。
【発明を実施するための形態】
【００３３】
図１〜図８を参照して、本発明の一実施形態について説明する。
図１〜図４に、足用被服を着用した人体の右足の骨格図を示す。
以降では、人体の前後方向において任意の部位を基準としたときにこれよりも前方および後方をそれぞれ「前側」および「後側」とする。また、人体の上下方向において任意の部位を基準としたときにこれよりも上方および下方をそれぞれ「上側」および「下側」とする。また、人体の左右方向において任意の部位に対して体軸側を「内側」とし、同部位に対して体軸側とは反対側を「外側」とする。
【００３４】
人体の足は、親指１０１をはじめとする各指と、それらの後側に位置する中足骨２００と、中足骨２００の後側に位置する足根骨３００とを含む。
中足骨２００は、第１中足骨２０１と、第２中足骨２０２と、第３中足骨２０３と、第４中足骨２０４と、第５中足骨２０５とを含む。足根骨３００は、楔状骨３１０と、舟状骨３２０と、立方骨３３０と、距骨３４０と、踵骨３５０とを含む。楔状骨３１０は、第１中足骨２０１の後側に位置する内側楔状骨３１１と、第２中足骨２０２の後側に位置する中間楔状骨３１２と、第３中足骨２０３の後側に位置する外側楔状骨３１３とを含む。
【００３５】
足に形成される各足弓について説明する。
図３に示されるにように、足には、内側楔状骨３１１および舟状骨３２０および距骨３４０を介して第１中足骨２０１の前側端部から踵骨３５０の下側端部までにわたり足弓（以下、「内側縦アーチＡＸ」）が形成されている。
【００３６】
図４に示されるように、足には、立方骨３３０を介して第５中足骨２０５の前側端部から踵骨３５０の下側端部までにわたり足弓（以下、「外側縦アーチＡＹ」）が形成されている。
【００３７】
図１および図２に示されるように、足には、第２中足骨２０２および第３中足骨２０３および第４中足骨２０４のそれぞれの前側端部を介して第１中足骨２０１の前側端部から第５中足骨２０５の前側端部までにわたり足弓（以下、「横アーチＡＺ」）が形成されている。
【００３８】
図３に示されるように、足の内側の側面には、土ふまず４００が形成されている。この土ふまず４００は、内側縦アーチＡＸおよび横アーチＡＺ（図１および図２参照）が互いに関連して形成されている。
【００３９】
図５〜図８を参照して、右足の靴下１の構造について説明する。本実施形態では、足の各指を覆う部分が複数に分かれている足袋型の靴下として本発明の足用被服を具体化した一例を示している。なお、図５〜図８では、靴下１を構成する各編み組織同士の境界の部分を実線で示している。
【００４０】
靴下１には、足の各部位にそれぞれ対応する以下の部位が設けられている。
・足の指以外の部位を覆う部位として、足被覆部１０が設けられている。
・足の指を覆う部位として、指被覆部７０が設けられている。
・踵を覆う部位として、踵被覆部８０が設けられている。
【００４１】
靴下１を構成する生地の編み組織の種類について説明する。
靴下１は、極大パワー編み組織、および大パワー編み組織、および中パワー編み組織、および小パワー編み組織、およびリブ編み組織、およびメッシュ編み組織、およびパイル編み組織を含む一体の被服として形成されている。
【００４２】
各編み組織の緊締力の大小関係について説明する。なお「緊締力」は、生地を引き伸ばすために必要となる力の大きさ、すなわち生地を引き伸ばそうとする力に抗して生じる生地の力の強さを示す。相対的に緊締力が強い生地および弱い生地について、同じ大きさの力がそれぞれの生地に加えられたとき、生地の伸びは前者の方が後者よりも小さくなる。
【００４３】
極大パワー編み組織は、一般の靴下に用いられる編み組織よりも緊締力が強い。これにより、ユーザが靴下１を着用したとき、極大パワー編み組織から足に加えられる力は一般の靴下に用いられる編み組織よりも強い。
【００４４】
小パワー編み組織は、極大パワー編み組織よりも緊締力が弱く、かつ一般の靴下に用いられる編み組織よりも緊締力が強い。
中パワー編み組織は、極大パワー編み組織よりも緊締力が弱く、かつ小パワー編み組織よりも緊締力が強い。
【００４５】
大パワー編み組織は、極大パワー編み組織よりも緊締力が弱く、かつ中パワー編み組織よりも緊締力が強い。
メッシュ編み組織およびリブ編み組織およびパイル編み組織は、それぞれ小パワー編み組織よりも緊締力が弱く、かつ一般の靴下に用いられる編み組織と同程度の緊締力を有する。
【００４６】
各編み組織の伸縮性の大小関係について説明する。なお「伸縮性」は、生地が引き伸ばされたときに元の状態に戻ろうとして生じる生地の力についての特性を示す。相対的に伸縮性が高い生地および低い生地について、同じ大きさの力がそれぞれの生地に加えられたとき、生地が元の状態に戻ろうとして生じる力は後者よりも前者の方が大きい。
【００４７】
極大パワー編み組織は、一般の靴下に用いられる編み組織よりも伸縮性が高い。これにより、ユーザが靴下１を着用したとき、極大パワー編み組織から足に加えられる力は一般の靴下に用いられる編み組織よりも強い。
【００４８】
小パワー編み組織は、極大パワー編み組織よりも伸縮性が低く、かつ一般の靴下に用いられる編み組織よりも伸縮性が高い。
中パワー編み組織は、極大パワー編み組織よりも伸縮性が低く、かつ小パワー編み組織よりも伸縮性が高い。
【００４９】
大パワー編み組織は、極大パワー編み組織よりも伸縮性が低く、かつ中パワー編み組織よりも伸縮性が高い。
メッシュ編み組織およびリブ編み組織およびパイル編み組織は、それぞれ小パワー編み組織よりも伸縮性が低く、一般の靴下に用いられる編み組織と同程度の伸縮性を有する。
【００５０】
各編み組織の特性について説明する。
メッシュ編み組織は、一般の靴下に用いられる編み組織よりも通気性に優れている。リブ編み組織は、一般の靴下に用いられる編み組織よりも伸縮性が低く、フィット性に優れている。パイル編み組織は、一般の靴下に用いられる編み組織よりもクッション性に優れている。
【００５１】
図５を参照して、靴下１の足背側の詳細な構造について説明する。
足被覆部１０は、大パワー編み組織により構成された上面矯正部２０と、メッシュ編み組織により構成された上面前部４１と、同じくメッシュ編み組織により構成された上面後部４２と、一般の靴下よりも伸縮性の高い編み組織の重ね合わせにより形成された開口部６０とを含む。
【００５２】
上面矯正部２０は、足被覆部１０の上面の前後方向のほぼ中央に位置する部位であり、足の下側から上側に向かう力、および内側から外側に向かう力を土ふまず４００に付与するための部位として設けられている。上面前部４１は、上面矯正部２０よりも前側の部位として設けられている。上面後部４２は、上面矯正部２０よりも後側の部位として設けられている。開口部６０は、足被覆部１０の上端に位置する部位として設けられている。
【００５３】
上面矯正部２０は靴下１の内側の側面に位置する上面内側縁２１と、靴下１の外側の側面に位置する上面外側頂点２４と、上面内側縁２１の前側端部である上面内前端部２１Ａと上面外側頂点２４とを結ぶ上面前側縁２２と、上面内側縁２１の後側端部である上面内後端部２１Ｂと上面外側頂点２４とを結ぶ上面後側縁２３とに囲まれて形成されている。
【００５４】
すなわち、上面矯正部２０は、上面内側縁２１および上面前側縁２２および上面後側縁２３を線分とする三角形状に相当する部位として、靴下１の足背側を介して足の内側の側面から外側の側面までにわたり形成されている。また、上面前側縁２２および上面後側縁２３の交点となる上面外側頂点２４が三角形状の頂点に相当する部位として形成されている。
【００５５】
上面内側縁２１は、靴下１の内側の側面に設けられている（図７参照）。上面外側頂点２４は、靴下１の外側の側面に設けられている（図８参照）。すなわち、上面矯正部２０は足背を介して内側の側面から外側の側面までにわたり設けられている。
【００５６】
上面矯正部２０の前後方向の幅は、上面内側縁２１において最も大きい。また、上面内側縁２１から上面外側頂点２４に向かうにつれて次第に小さくなる。また、上面外側頂点２４において最も小さい。
【００５７】
上面矯正部２０の左右方向の幅は、上面内前端部２１Ａおよび上面内後端部２１Ｂにおいて最も小さい。また、上面内前端部２１Ａおよび上面内後端部２１Ｂのそれぞれから上面外側頂点２４に向かうにつれて次第に大きくなる。また、上面外側頂点２４において最も大きい。
【００５８】
図６を参照して、靴下１の足底側の詳細な構造について説明する。
足被覆部１０は、極大パワー編み組織により構成された下面矯正部３０と、パイル編み組織により構成された下面先部５１と、小パワー編み組織により構成された下面中央内部５３と、中パワー編み組織により構成された下面後中央部５６とを含む。さらに、リブ編み組織により構成された下面前部５２および下面中央外部５４および下面後内部５５および下面後外部５７を含む。
【００５９】
下面矯正部３０は、足被覆部１０の下面の前後方向のほぼ中央に位置する部位であり、上面矯正部２０により土ふまず４００を引き上げる力を強くするための部位として設けられている。
【００６０】
下面先部５１は、指被覆部７０よりも後側の部位として設けられている。下面前部５２は、下面先部５１よりも後側の部位として設けられている。下面中央内部５３は、下面矯正部３０の中央部よりも内側かつ後側の部位として設けられている。下面中央外部５４は、下面矯正部３０の中央部よりも外側かつ後側の部位として設けられている。下面後内部５５は、踵被覆部８０の内側かつ後側の部位として設けられている。下面後中央部５６は、踵被覆部８０の中央部の後側の部位として設けられている。下面後外部５７は、踵被覆部８０の外側かつ後側の部位として設けられている。
【００６１】
下面矯正部３０は靴下１の内側の側面に位置する下面内側縁３１と、靴下１の外側の側面に位置する下面外側頂点３４と、下面内側縁３１の前側端部である下面内前端部３１Ａと下面外側頂点３４とを結ぶ下面前側縁３２と、下面内側縁３１の後側端部である下面内後端部３１Ｂと下面外側頂点３４とを結ぶ下面後側縁３３とに囲まれて形成されている。
【００６２】
すなわち、下面矯正部３０は、下面内側縁３１および下面前側縁３２および下面後側縁３３を線分とする三角形状に相当する部位として、靴下１の足底側を介して足の内側の側面から外側の側面までにわたり形成されている。また、下面前側縁３２および下面後側縁３３の交点となる下面外側頂点３４が三角形状の頂点に相当する部位として形成されている。
【００６３】
下面内側縁３１は、靴下１の内側の側面に設けられている（図７参照）。下面外側頂点３４は、靴下１の外側の側面に設けられている（図８参照）。すなわち、下面矯正部３０は足底を介して内側の側面から外側の側面までにわたり設けられている。
【００６４】
下面矯正部３０の前後方向の幅は、下面内側縁３１において最も大きい。また、下面内側縁３１から下面外側頂点３４に向かうにつれて次第に小さくなる。また、下面外側頂点３４において最も小さい。
【００６５】
下面矯正部３０の左右方向の幅は、下面内前端部３１Ａおよび下面内後端部３１Ｂにおいて最も小さい。また、下面内前端部３１Ａおよび下面内後端部３１Ｂのそれぞれから下面外側頂点３４に向かうにつれて次第に大きくなる。また、下面外側頂点３４において最も大きい。
【００６６】
図５および図６を参照して、靴下１の指被覆部７０について説明する。
靴下１において、足被覆部１０よりも前側には指被覆部７０が形成されている。指被覆部７０は、親指１０１を覆うための第１袋部７１と、人差し指および中指および薬指および小指を覆うための第２袋部７２とを含む。第１袋部７１と第２袋部７２とは互いに分離して形成されている。指被覆部７０は、パイル編み組織により構成されている。
【００６７】
図６を参照して、靴下１の踵被覆部８０について説明する。
靴下１において、足被覆部１０の中央部よりも後側の部位には踵被覆部８０が形成されている。踵被覆部８０は、パイル編み組織により構成されている。
【００６８】
図７を参照して、上面矯正部２０と下面矯正部３０との関係について説明する。
靴下１においては、上面矯正部２０と下面矯正部３０とが互いに連続して形成されている。すなわち、上面矯正部２０の上面内側縁２１と下面矯正部３０の下面内側縁３１とが足の内側の側面に対応する部位において互いに接続されている。なお、上面矯正部２０および下面矯正部３０は土ふまずを矯正するための矯正部に相当する。
【００６９】
図５〜図８を参照して、各編み組織の形成態様について説明する。
図５に、靴下１の足背側における各編み組織の形成態様を示す。
・指被覆部７０と上面前部４１との間にパイル編み組織とメッシュ編み組織との境界が形成されている。
・上面前部４１と上面矯正部２０との間にメッシュ編み組織と大パワー編み組織との境界が形成されている。
・上面矯正部２０と上面後部４２との間に大パワー編み組織とメッシュ編み組織との境界が形成されている。
【００７０】
図６に、靴下１の足底側における各編み組織の形成態様を示す。
・下面先部５１と下面前部５２との間にパイル編み組織とリブ編み組織との境界が形成されている。
・下面前部５２と下面矯正部３０との間にリブ編み組織と極大パワー編み組織との境界が形成されている。
・下面矯正部３０と下面中央内部５３との間に極大パワー編み組織と小パワー編み組織との境界が形成されている。
・下面矯正部３０と下面中央外部５４との間に極大パワー編み組織とリブ編み組織との境界が形成されている。
・下面中央内部５３と踵被覆部８０との間に小パワー編み組織とパイル編み組織との境界が形成されている。
・下面中央内部５３と下面中央外部５４との間に小パワー編み組織とリブ編み組織との境界が形成されている。
・下面後内部５５と下面後中央部５６との間にリブ編み組織と中パワー編み組織との境界が形成されている。
・下面後外部５７と下面後中央部５６との間にリブ編み組織と中パワー編み組織との境界が形成されている。
・踵被覆部８０と下面中央外部５４との間にパイル編み組織とリブ編み組織との境界が形成されている。
・踵被覆部８０と下面後中央部５６との間にパイル編み組織と中パワー編み組織との境界が形成されている。
・踵被覆部８０と下面後内部５５との間にパイル編み組織とリブ編み組織との境界が形成されている。
・踵被覆部８０と下面後外部５７との間にパイル編み組織とリブ編み組織との境界が形成されている。
【００７１】
図７に、靴下１の内側の側面における各編み組織の形成態様を示す。
・上面前部４１と下面先部５１との間にメッシュ編み組織とパイル編み組織との境界が形成されている。
・上面矯正部２０と下面矯正部３０との間に大パワー編み組織と極大パワー編み組織との境界が形成されている。
・上面後部４２と下面中央内部５３との間にメッシュ編み組織と小パワー編み組織との境界が形成されている。
・踵被覆部８０と上面後部４２との間にパイル編み組織とメッシュ編み組織との境界が形成されている。
【００７２】
図８に、靴下１の外側の側面における各編み組織の形成態様を示す。
・上面前部４１と下面先部５１との間にメッシュ編み組織とパイル編み組織との境界が形成されている。
・上面前部４１と下面前部５２との間にメッシュ編み組織とリブ編み組織との境界が形成されている。
・上面後部４２と下面中央外部５４との間にメッシュ編み組織とリブ編み組織との境界が形成されている。
・踵被覆部８０と上面後部４２との間にパイル編み組織とメッシュ編み組織との境界が形成されている。
【００７３】
図１〜図４を参照して、足と靴下１との関係について説明する。なお、図１〜図４の一点鎖線は足のアウトラインを、また二点鎖線は靴下１のアウトラインおよび各編み組織の境界をそれぞれ示している。
【００７４】
上面矯正部２０は、第１中足骨２０１および第２中足骨２０２および第３中足骨２０３および第４中足骨２０４および第５中足骨２０５のそれぞれの後側部分と、楔状骨３１０と、舟状骨３２０の前側部分とに対応する足の足背側の部位を覆う。
【００７５】
下面矯正部３０は、第１中足骨２０１および第２中足骨２０２および第３中足骨２０３および第４中足骨２０４および第５中足骨２０５のそれぞれの後側部分と、楔状骨３１０と、舟状骨３２０の前側部分とに対応する足の足底側の部位を覆う。
【００７６】
ここで、足の特定の部位について次のように定義する。
（ａ）足の内側の側面において、第１中足骨２０１の前端部付近に対応する部位を「足部位Ｓ１」とする。
（ｂ）足の内側の側面において、舟状骨３２０の後端部付近に対応する部位を「足部位Ｓ２」とする。
（ｃ）足の外側の側面において、第５中足骨２０５の中央部付近に対応する部位を「足部位Ｓ３」とする。
（ｄ）足部位Ｓ１と足部位Ｓ２との間の中央部またはその付近を「足部位Ｓ４」とする。足部位Ｓ４は、土ふまず４００の頂点またはその付近、すなわち内側縦アーチＡＸの中央部またはその付近に対応している。
【００７７】
上面矯正部２０および下面矯正部３０の形成位置を以下に示す。
・上面内側縁２１および下面内側縁３１は、足部位Ｓ１から足部位Ｓ２までにわたり形成されている。すなわち、足の内側の側面に対応する部位に形成されている。
・上面前側縁２２および下面前側縁３２は、足部位Ｓ１から足部位Ｓ３までにわたり形成されている。
・上面後側縁２３および下面後側縁３３は、足部位Ｓ２から足部位Ｓ３までにわたり形成されている。
・上面外側頂点２４および下面外側頂点３４は、足部位Ｓ３に形成されている。すなわち、足の外側の側面に対応する部位に形成されている。
【００７８】
靴下１の平面視において、足の左右方向に平行かつ上面外側頂点２４および下面外側頂点３４を通過する仮想線を引いたとき、この仮想線は足部位Ｓ４またはその付近を通過する。すなわち、上面外側頂点２４および下面外側頂点３４は、足の左右方向において足部位Ｓ４またはその付近と対応する部位に形成されている。
【００７９】
図１〜図４を参照して、靴下１を着用した状態において土ふまず４００に加えられる力について説明する。なお、図１〜図４の各矢印は、靴下１を着用した状態において足に加えられる力の方向を示している。
【００８０】
土ふまず４００には、上面矯正部２０により次の力が加えられる。
すなわち、足背を介して足の内側の側面から足の外側の側面までにわたり設けられた上面矯正部２０により、図１または図３または図４において矢印ＺＡで示される力が加えられる。すなわち、靴下１がユーザに着用されたとき、足背の盛り上がった部分により上面矯正部２０を引き伸ばそうとする力が同矯正部２０に加えられる。これにより、引き伸ばそうとする力が加えられたことにともない、上面矯正部２０にはこれに抗する力が生じる。このため、土ふまず４００を内側から外側に向けて引っ張る力が上面矯正部２０から土ふまず４００に加えられる。また、土ふまず４００および下面矯正部３０には下側から上側に引き上げる力が上面矯正部２０により加えられる。
【００８１】
このように土ふまず４００に作用する力は、内側縦アーチＡＸを下側から上側に向けて引き上げる力として、また土ふまず４００の内側縦アーチＡＸを内側から外側に向けて引っ張る力として作用する。また、上面矯正部２０から土ふまず４００に付与される力は、上面矯正部２０において上面前側縁２２および上面後側縁２３のそれぞれから上面矯正部２０の中央部分に向かうにつれて次第に大きくなり、三角形状の頂点に相当する上面外側頂点２４において最も大きくなる。すなわち、内側縦アーチＡＸの頂点部分およびその付近において、上面矯正部２０から土ふまず４００に加えられる力が最も大きくなる。
【００８２】
土ふまず４００には、下面矯正部３０により次の力が加えられる。
すなわち、足底を介して足の内側の側面から足の外側の側面までにわたり設けられた下面矯正部３０により、図３において矢印ＺＢで示される力が加えられる。すなわち、上面矯正部２０からの力が加えられることにともない下面矯正部３０が下側から上側に引き上げられる。これにより、土ふまず４００を下側から上側に押す力が下面矯正部３０から土ふまず４００に加えられる。なお、足底は足背に比べて平らな形状のため、靴下１がユーザに着用された状態において、足底が下面矯正部３０を引き伸ばそうとする力は足背が上面矯正部２０を引き伸ばそうとする力よりも小さい。このため、引き伸ばそうとする力が加えられたことにともない上面矯正部２０に生じる力は下面矯正部３０に生じる力よりも大きいものとなる。このため、下面矯正部３０が上面矯正部２０により下側から上側に引き上げられる。
【００８３】
この力は、上面矯正部２０が内側縦アーチＡＸを下側から上側に向けて引き上げる力をサポートする力、すなわち、土ふまず４００を押し上げる力として作用する。
また、下面矯正部３０から土ふまず４００に加えられる力は、下面前側縁３２および下面後側縁３３のそれぞれから下面矯正部３０の中央部分に向かうにつれて次第に大きくなり、三角形状の頂点に相当する下面外側頂点３４において最も大きくなる。すなわち、内側縦アーチＡＸの頂点部分およびその付近において、上面矯正部２０から土ふまず４００に加えられる力を押し上げる力が最も大きくなる。
【００８４】
このように、土ふまず４００の形状をアーチ形状に維持することに適した力が上面矯正部２０および下面矯正部３０から土ふまず４００に付与される。したがって、内側縦アーチＡＸが適切に引き上げられる。
【００８５】
本実施形態によれば以下の効果を奏することができる。
（１）靴下１において、足被覆部１０には上面矯正部２０が設けられている。これにより、内側縦アーチＡＸが下側から上側に向けて引き上げられるとともに、内側から外側に向けて引っ張られる。このため、内側縦アーチＡＸがより適切に引き上げられる。
【００８６】
（２）上面矯正部２０が上面内側縁２１および上面前側縁２２および上面後側縁２３を線分とする三角形状に相当する部位として形成され、上面外側頂点２４が上面前側縁２２および上面後側縁２３の交点であり三角形状の頂点に相当する部位として形成されている。このため、靴下１がユーザに着用されたとき、土ふまず４００の形状をアーチ形状に維持することに適した力が上面矯正部２０により土ふまず４００に付与される。これにより、土ふまず４００の内側縦アーチＡＸを引き上げる効果をより高めることができる。
【００８７】
（３）上面内側縁２１が足の内側の側面に対応する部位に形成されるとともに、上面外側頂点２４が足の外側の側面に対応する部位に形成される。すなわち、足背を介して上面矯正部２０が足の内側の側面から足の外側の側面までにわたり形成される。これにより、土ふまず４００の広範囲に上面矯正部２０からの力が付与されるため、内側縦アーチＡＸがより適切に引き上げられる。
【００８８】
（４）靴下１において、足被覆部１０には下面矯正部３０が設けられている。これにより、上面矯正部２０により内側縦アーチＡＸが下側から上側に向けて引き上げられる力をサポートする力、すなわち土ふまず４００を押し上げる力が土ふまず４００に加えられる。このため、土ふまず４００の内側縦アーチＡＸを引き上げる効果をより高めることができる。
【００８９】
（５）下面矯正部３０が下面内側縁３１および下面前側縁３２および下面後側縁３３を線分とする三角形状に相当する部位として形成され、下面外側頂点３４が下面前側縁３２および下面後側縁３３の交点であり三角形状の頂点に相当する部位として形成されている。このため、上面矯正部２０から土ふまず４００に加えられる力をサポートする力が下面矯正部３０の中央部分において最も大きくなる。これにより、上面矯正部２０が土ふまず４００の内側縦アーチＡＸを引き上げる効果をより高めることができる。
【００９０】
（６）下面内側縁３１が足の内側の側面に対応する部位に形成されるとともに、下面外側頂点３４が足の外側の側面に対応する部位に形成される。すなわち、足底を介して下面矯正部３０が足の内側の側面から足の外側の側面までにわたり形成される。これにより、土ふまず４００の広範囲に下面矯正部３０からの力が付与されるため、内側縦アーチＡＸがより適切に引き上げられる。
【００９１】
（７）靴下１においては、上面矯正部２０の上面内側縁２１と下面矯正部３０の下面内側縁３１とが足の内側の側面に対応する部位において互いに接続されている。すなわち、上面矯正部２０と下面矯正部３０とが連続して形成されているため、下面矯正部３０を引き上げる力が上面矯正部２０から下面矯正部３０に直接的に作用する。このため、内側縦アーチＡＸを引き上げる効果がより高められる。
【００９２】
（８）靴下１においては、第１袋部７１および第２袋部７２が互いに分離して形成されている、すなわち足袋型の足用被服として形成されている。このため、ユーザがこの靴下１を着用した状態において足指を動かしやすい。これにより、ユーザが歩行時に地面を捉えやすくなるため、正しい歩行パターンにより歩行することができる。
【００９３】
（９）靴下１には、内側縦アーチＡＸを矯正するための矯正部として、上面矯正部２０および下面矯正部３０の双方が設けているため、いずれか一方だけのものに比べて、内側縦アーチＡＸをより適切に引き上げることができる。
【００９４】
（１０）靴下１では、上面矯正部２０から土ふまず４００に付与される力が上面矯正部２０の三角形状の頂点に相当する上面外側頂点２４において最も大きくなる。すなわち、内側縦アーチＡＸの頂点部分およびその付近において、上面矯正部２０から土ふまず４００に加えられる力が最も大きくなる。これにより、内側縦アーチＡＸを引き上げる効果をより高めることができる。
【００９５】
（１１）靴下１では、下面矯正部３０による上面矯正部２０から土ふまず４００に加えられる力をサポートする力が下面矯正部３０の三角形状の頂点に相当する下面外側頂点３４において最も大きくなる。すなわち、内側縦アーチＡＸの頂点部分およびその付近において、上面矯正部２０から土ふまず４００に加えられる力をサポートする力が最も大きくなる。これにより、内側縦アーチＡＸを引き上げる効果をより高めることができる。
【００９６】
（１２）靴下１においては、上面矯正部２０の外側の側面に上面外側頂点２４が形成されている。これにより、上面外側縁が片として形成されているものに比べて、上面矯正部２０から土ふまず４００に付与される力が内側縦アーチＡＸの形状を整えることに適したものとなる。
【００９７】
（１３）靴下１においては、下面矯正部３０の外側の側面に下面外側頂点３４が形成されている。これにより、下面外側縁が片として形成されているものに比べて、下面矯正部３０による上面矯正部２０から土ふまず４００に付与される力をサポートする力が内側縦アーチＡＸの形状を整えることに適したものとなる。
【００９８】
（１４）靴下１は、足背側が各種の編み組織により構成されている。このため、足背側の全体が大パワー編み組織のみにより構成されているものに比べて、ユーザが靴下１を着用したときに圧迫感を覚えにくい。
【００９９】
（１５）靴下１においては、第１袋部７１および第２袋部７２が互いに分離して形成されている。すなわち、足袋型の足用被服として形成されている。このため、ユーザがこの靴下１を着用した状態において足指を動かしやすい。これにより、ユーザが歩行時に地面を捉えやすくなるため、正しい歩行パターンで歩行することができる。
【０１００】
（１６）靴下１においては、指被覆部７０および下面先部５１がパイル編み組織により構成されている。このため、指被覆部７０がパイル編み組織よりもクッション性が弱い編み組織により構成されているものに比べて、歩行時に指先およびその付近の部位が受ける衝撃が低減される。
【０１０１】
（１７）靴下１においては、踵被覆部８０をパイル編み組織により構成している。このため、踵被覆部８０がパイル編み組織よりもクッション性が弱い編み組織により構成されているものに比べて、歩行時に踵およびその付近の部位が受ける衝撃が低減される。
【０１０２】
（１８）靴下１においては、メッシュ編み組織により構成される上面前部４１および上面後部４２が足被覆部１０の足背側に形成されている。これにより、足背側の通気性が高められるため、足が蒸れることを抑制することができる。
【０１０３】
（１９）靴下１においては、下面後中央部５６が中パワー編み組織により構成されている。このため、下面後中央部５６が中パワー編み組織よりも緊締力が弱い編み組織により構成されているものに比べて、下面後中央部５６によりアキレス腱を保護する効果を高めることができる。
【０１０４】
（２０）靴下１によれば、内側縦アーチＡＸを適切に引き上げることにより、土ふまず４００の形状を整えることができる。これにより、正しい歩行パターンにより歩行できるようになり、ひいては次の各効果が得られることを期待することができる。すなわち、歩行による疲れが生じにくくなること、および姿勢が改善されること、および外反母趾となることが抑制されること、および偏平足となることが抑制すること、および巻き爪となることが抑制されることの少なくとも１つを期待することができる。
【０１０５】
（２１）またさらには、内側縦アーチＡＸが引き上げられることにより、その他の縦横のアーチ（例えば、外側縦アーチＡＹ（図４参照）や横アーチＡＺ（図１参照））およびそれらを支える靭帯および筋肉の状態も適切なものに変化する。このため、足のトータルバランスが調整される。
【０１０６】
（その他の実施形態）
なお、本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【０１０７】
・上記実施形態では、土ふまず４００を引き上げるための部位として三角形状の上面矯正部２０を形成したが、上面矯正部２０の形状はこれに限られない。図９〜図１４に、上面矯正部２０の変形例を示す。
【０１０８】
なお、上記実施形態では、靴下１の外側の側面に位置する縁として上面外側頂点２４が形成される例を示したが、各変形例において、上面矯正部２０の三角形状からの変更にともない同頂点２４に代えて形成される片を「上面外側縁２５」として示す。また、上面外側縁２５の前側端部および後側端部をそれぞれ「上面外前端部２５Ａ」および「上面外後端部２５Ｂ」として示す。
【０１０９】
図９〜図１４に示される各変形例によれば、上面内側縁２１の長さが上面外側縁２５（または上面外側頂点２４）の長さよりも長く設定されていることにより、上記実施形態の効果に準じた効果が奏せられる。
【０１１０】
Ａ．図９（ａ）に、上面矯正部２０の形状を台形状に変更した例を示す。この構成では、上面外前端部２５Ａが上面内前端部２１Ａよりも後側に形成される。また、上面外後端部２５Ｂが上面内後端部２１Ｂよりも前側に形成される。
【０１１１】
上面前側縁２２は、上面内前端部２１Ａおよび上面外前端部２５Ａをそれぞれ端点とする片として、かつ両端点の間の全体にわたり靴下１の前後方向に対して傾斜する片として形成される。
【０１１２】
上面後側縁２３は、上面内後端部２１Ｂおよび上面外後端部２５Ｂをそれぞれ端点とする片として、かつ両端点の間の全体にわたり靴下１の前後方向に対して傾斜する片として形成される。
【０１１３】
Ｂ．図９（ｂ）に、上面矯正部２０の形状を上記Ａとは別の台形状に変更した例を示す。この構成では、上面外前端部２５Ａが上面内前端部２１Ａよりも後側に形成される。また、上面外後端部２５Ｂが上面内後端部２１Ｂよりも後側に形成される。
【０１１４】
上面前側縁２２は、上面内前端部２１Ａおよび上面外前端部２５Ａをそれぞれ端点とする片として、かつ両端点の間の全体にわたり靴下１の前後方向に対して傾斜する片として形成される。
【０１１５】
上面後側縁２３は、上面内後端部２１Ｂおよび上面外後端部２５Ｂをそれぞれ端点とする片として、かつ両端点の間の全体にわたり靴下１の前後方向に対して傾斜する片として形成される。
【０１１６】
なお、この変形例において、上面外前端部２５Ａを上面内前端部２１Ａよりも前側に形成するとともに、上面外後端部２５Ｂを上面内後端部２１Ｂよりも前側に形成することもできる。
【０１１７】
Ｃ．図１０（ａ）に、上面矯正部２０の形状をピラミッド形状に変更した例を示す。この構成では、上面外前端部２５Ａが上面内前端部２１Ａよりも後側に形成される。また、上面外後端部２５Ｂが上面内後端部２１Ｂよりも前側に形成される。
【０１１８】
上面前側縁２２は、上面内前端部２１Ａおよび上面外前端部２５Ａをそれぞれ端点とする片として、かつ両端点の間が段形状の片として形成される。上面後側縁２３は、上面内後端部２１Ｂおよび上面外後端部２５Ｂをそれぞれ端点とする片として、かつ両端点の間が段形状の片として形成される。
【０１１９】
Ｄ．図１０（ｂ）に、上面矯正部２０の形状として台形状およびピラミッド形状が組み合わされた例を示す。この構成では、上面外前端部２５Ａが上面内前端部２１Ａよりも後側に形成される。また、上面外後端部２５Ｂが上面内後端部２１Ｂよりも前側に形成される。
【０１２０】
上面前側縁２２は、上面内前端部２１Ａおよび上面外前端部２５Ａをそれぞれ端点とする片として、かつ両端点の間が段形状の片として形成される。上面後側縁２３は、上面内後端部２１Ｂおよび上面外後端部２５Ｂをそれぞれ端点とする片として、かつ両端点の間の全体にわたり靴下１の前後方向に対して傾斜する片として形成される。なお、この変形例において、上面前側縁２２を前後方向に対して傾斜する片として形成し、上面後側縁２３を段形状の片として形成することもできる。
【０１２１】
Ｅ．図１１（ａ）に、上面矯正部２０の形状を直角三角形状に変更した例を示す。この構成では、上面外側頂点２４が上面内前端部２１Ａよりも後側に形成される。また、上面外側頂点２４が前後方向において上面内後端部２１Ｂと同じ位置に形成される。
【０１２２】
上面前側縁２２は、上面内前端部２１Ａおよび上面外側頂点２４をそれぞれ端点とする片として、かつ両端点の間の全体にわたり靴下１の前後方向に対して傾斜する片として形成される。
【０１２３】
上面後側縁２３は、上面内後端部２１Ｂおよび上面外側頂点２４をそれぞれ端点とする片として、かつ両端点の間の全体にわたり靴下１の幅方向に対して平行となる片として形成される。なお、この変形例において、上面前側縁２２を幅方向に対して平行となる片として形成するとともに、上面後側縁２３を前後方向に対して傾斜する片として形成することもできる。
【０１２４】
Ｆ．図１１（ｂ）に、上面矯正部２０の形状を台形状に変更した例を示す。この構成では、上面外前端部２５Ａが上面内前端部２１Ａよりも後側に形成される。また、上面外後端部２５Ｂが前後方向において上面内後端部２１Ｂと同じ位置に形成される。
【０１２５】
上面前側縁２２は、上面内前端部２１Ａおよび上面外前端部２５Ａをそれぞれ端点とする片として、かつ両端点の間の全体にわたり靴下１の前後方向に対して傾斜する片として形成される。
【０１２６】
上面後側縁２３は、上面内後端部２１Ｂおよび上面外後端部２５Ｂをそれぞれ端点とする片として、かつ両端点の間の全体にわたり靴下１の幅方向に対して平行となる片として形成される。
【０１２７】
なお、この変形例において、上面前側縁２２を幅方向に対して平行となる片として形成するとともに、上面後側縁２３を前後方向に対して傾斜する片として形成することもできる。
【０１２８】
Ｇ．図１２（ａ）に、上面矯正部２０の形状として矩形の左右方向の片を湾曲させた形状の例を示す。この構成では、上面外前端部２５Ａが上面内前端部２１Ａよりも後側に形成される。また、上面外後端部２５Ｂが上面内後端部２１Ｂよりも前側に形成される。
【０１２９】
上面前側縁２２は、上面内前端部２１Ａおよび上面外前端部２５Ａをそれぞれ端点とする片として、かつ内側から外側に向かうにつれて前側から後側に向けて後方向に湾曲する片として形成される。
【０１３０】
上面後側縁２３は、上面内後端部２１Ｂおよび上面外後端部２５Ｂをそれぞれ端点とする片として、かつ内側から外側に向かうにつれて後側から前側に向けて前方向に湾曲する片として形成される。
【０１３１】
Ｈ．図１２（ｂ）に、上面矯正部２０の形状として矩形の左右方向の片を湾曲させた形状の例を示す。この構成では、上面外前端部２５Ａが上面内前端部２１Ａよりも後側に形成される。また、上面外後端部２５Ｂが上面内後端部２１Ｂよりも前側に形成される。
【０１３２】
上面前側縁２２は、上面内前端部２１Ａおよび上面外前端部２５Ａをそれぞれ端点とする片として、かつ内側部分が内側から外側に向かうにつれて後側から前側に向けて前方向に湾曲する片として、かつ外側部分が内側から外側に向かうにつれて前側から後側に向けて前方向に湾曲する片として形成される。
【０１３３】
上面後側縁２３は、上面内後端部２１Ｂおよび上面外後端部２５Ｂをそれぞれ端点とする片として、かつ内側部分が内側から外側に向かうにつれて前側から後側に向けて後方向に湾曲する片として、かつ外側部分が内側から外側に向かうにつれて後側から前側に向けて後方向に湾曲する片として形成される。
【０１３４】
Ｉ．図１３（ａ）に、上面矯正部２０の形状として矩形の左右方向の片を傾斜させた形状の例を示す。この構成では、上面外前端部２５Ａが上面内前端部２１Ａよりも後側に形成される。また、上面外後端部２５Ｂが上面内後端部２１Ｂよりも前側に形成される。
【０１３５】
上面前側縁２２は、上面内前端部２１Ａおよび上面外前端部２５Ａをそれぞれ端点とする片として、かつ両端点の間において内側部分が靴下１の幅方向に対して平行となる片として、かつ外側部分が内側から外側に向かうにつれて前側から後側に向けて傾斜する片として形成される。
【０１３６】
上面後側縁２３は、上面内後端部２１Ｂおよび上面外後端部２５Ｂをそれぞれ端点とする片として、かつ両端点の間において内側部分が靴下１の幅方向に対して平行となる片として、かつ外側部分が内側から外側に向かうにつれて後側から前側に向けて傾斜する片として形成される。
【０１３７】
Ｊ．図１３（ｂ）に、上面矯正部２０の形状として矩形の左右方向の片を傾斜させた形状の例を示す。この構成では、上面外前端部２５Ａが上面内前端部２１Ａよりも後側に形成される。また、上面外後端部２５Ｂが上面内後端部２１Ｂよりも前側に形成される。
【０１３８】
上面前側縁２２は、上面内前端部２１Ａおよび上面外前端部２５Ａをそれぞれ端点とする片として、かつ両端点の間において内側部分が内側から外側に向かうにつれて前側から後側に向けて傾斜する片として、かつ外側部分が靴下１の幅方向に対して平行となる片として形成される。
【０１３９】
上面後側縁２３は、上面内後端部２１Ｂおよび上面外後端部２５Ｂをそれぞれ端点とする片として、かつ両端点の間において内側部分が内側から外側に向かうにつれて後側から前側に向けて傾斜する片として、かつ外側部分が靴下１の幅方向に対して平行となる片として形成される。
【０１４０】
Ｋ．図１４（ａ）に、上面矯正部２０の形状として矩形の左右方向の片を湾曲させた形状の例を示す。この構成では、上面外前端部２５Ａが上面内前端部２１Ａよりも後側に形成される。また、上面外後端部２５Ｂが上面内後端部２１Ｂよりも前側に形成される。
【０１４１】
上面前側縁２２は、上面内前端部２１Ａおよび上面外前端部２５Ａをそれぞれ端点とする片として、かつ内側部分が内側から外側に向かうにつれて後側から前側に向けて前方向に湾曲する片として、かつ外側部分が内側から外側に向かうにつれて前側から後側に向けて後方向に湾曲する片として形成される。
【０１４２】
上面後側縁２３は、上面内後端部２１Ｂおよび上面外後端部２５Ｂをそれぞれ端点とする片として、かつ内側部分が内側から外側に向かうにつれて前側から後側に向けて後方向に湾曲する片として、かつ外側部分が内側から外側に向かうにつれて後側から前側に向けて前方向に湾曲する片として形成される。
【０１４３】
Ｌ．図１４（ｂ）に、上面矯正部２０の形状として矩形の左右方向の片を傾斜させた形状の例を示す。この構成では、上面外前端部２５Ａが上面内前端部２１Ａよりも後側に形成される。また、上面外後端部２５Ｂが上面内後端部２１Ｂよりも前側に形成される。
【０１４４】
上面前側縁２２は、上面内前端部２１Ａおよび上面外前端部２５Ａをそれぞれ端点とする片として、かつ両端点の間において内側部分が内側から外側に向かうにつれて後側から前側に向けて傾斜する片として、かつ外側部分が内側から外側に向かうにつれて前側から後側に向けて傾斜する片として形成される。
【０１４５】
上面後側縁２３は、上面内後端部２１Ｂおよび上面外後端部２５Ｂをそれぞれ端点とする片として、かつ両端点の間において内側部分が内側から外側に向かうにつれて前側から後側に向けて傾斜する片として、かつ外側部分が内側から外側に向かうにつれて後側から前側に向けて傾斜する片として形成される。
【０１４６】
・図９〜図１４に示される上記各変形例において、図１１（ａ）の変形例を除く上面外側縁２５が形成されるものについては、上面外側縁２５に代えて上面外側頂点２４を形成することもできる。
【０１４７】
・上記実施形態では、三角形状に相当する部位として下面矯正部３０を形成したが、上面矯正部２０についての上記変形例と同様に下面矯正部３０の形状を変更することもできる。
【０１４８】
・上記実施形態では、土ふまず４００を矯正するための矯正部として、上面矯正部２０および下面矯正部３０を設けたが、下面矯正部３０を省略することもできる。
・上記実施形態では、上面矯正部２０と下面矯正部３０とが互いに連続するものとしたが、上面矯正部２０の上面内側縁２１と下面矯正部３０の下面内側縁３１とが互いに離間した構成に変更することもできる。
【０１４９】
・上記実施形態では、複数の編み組織を含む一体の被服として靴下１を形成したが、複数の生地を縫い合わせることにより靴下１を構成することもできる。
・上記実施形態では、上面矯正部２０および下面矯正部３０を含めて靴下１の各部位を一体的に形成したが、上面矯正部２０および下面矯正部３０の少なくとも一方を足被覆部１０とは別体のものとして形成することもできる。この場合には、別体として形成された上面矯正部２０および下面矯正部３０の少なくとも一方と、足被覆部１０の対応する部位とのそれぞれにフックやボタン等の締結部材が設けられる。
【０１５０】
・上記実施形態では、下面矯正部３０の緊締力を上面矯正部２０の緊締力よりも強くしたが、上面矯正部２０の緊締力と下面矯正部３０の緊締力とを互いに同じものにすることもできる。
【０１５１】
・上記実施形態では、下面矯正部３０の伸縮性を上面矯正部２０の伸縮性よりも高くしたが、上面矯正部２０の伸縮性と下面矯正部３０の伸縮性とを互いに同じものにすることもできる。
【０１５２】
・上記実施形態では、下面後中央部５６の緊締力を下面中央内部５３の緊締力よりも強くしたが、下面後中央部５６の緊締力と下面中央内部５３の緊締力とを互いに同じものにすることもできる。または、下面後中央部５６の緊締力を下面中央内部５３の緊締力よりも弱くすることもできる。
【０１５３】
・上記実施形態では、下面後中央部５６の伸縮性を下面中央内部５３の伸縮性よりも高くしたが、下面後中央部５６の伸縮性と下面中央内部５３の伸縮性とを互いに同じものにすることもできる。または、下面後中央部５６の伸縮性を下面中央内部５３の伸縮性よりも低くすることもできる。
【０１５４】
・上記実施形態では、上面前部４１と上面後部４２と指被覆部７０と下面先部５１と下面前部５２と下面中央外部５４と下面後内部５５と下面後外部５７と踵被覆部８０との緊締力および伸縮性を互いに同じものとしたが、これらのうちの少なくとも２つの間で緊締力および伸縮性を互いに異なるものにすることもできる。
【０１５５】
・上記実施形態では、靴下１を複数の編み組織により構成したが、上面矯正部２０を大パワー編み組織により構成し、その他の部位については上記実施形態に例示した編み組織とは別の編み組織により構成することもできる。
【０１５６】
・上記実施形態では、指被覆部７０の構成として、親指１０１を覆うための第１袋部７１およびその他の指を覆うための第２袋部７２が互いに分離した構成を採用したが、例えば次のように変更することもできる。すなわち、第１袋部７１および第２袋部７２に代えて、全ての足指を覆う１つの袋部を形成することもできる。また、第２袋部７２に代えて、小指を覆うための１つの袋部ならびに人差し指および中指および薬指を覆うための１つの袋部を形成することもできる。また、全ての指をそれぞれ独立して覆うための５つの袋部を形成することもできる。
【０１５７】
・上記実施形態では、指被覆部７０および踵被覆部８０を含めて靴下１を構成したが、これらのうち少なくとも一方を省略することもできる。指被覆部７０および踵被覆部８０の両方を省略した場合には、足被覆部１０により構成されるサポータタイプの足用被服となる。
【０１５８】
・上記実施形態では、中パワー編み組織および小パワー編み組織として、一般の靴下に用いられる編み組織よりも強い緊締力を有するものを採用したが、大パワー編み組織よりも緊締力の弱い範囲で、編み組織の緊締力を変更することもできる。例えば、一般の靴下に用いられる編み組織と同程度の緊締力を有するものを採用することもできる。
【０１５９】
・上記実施形態では、中パワー編み組織および小パワー編み組織として、一般の靴下に用いられる編み組織よりも高い伸縮性を有するものを採用したが、大パワー編み組織よりも伸縮性の低い範囲で、編み組織の伸縮性を変更することもできる。例えば、一般の靴下に用いられる編み組織と同程度の伸縮性を有するものを採用することもできる。
【０１６０】
・上記実施形態では、リブ編み組織およびメッシュ編み組織およびパイル編み組織として、一般の靴下に用いられる編み組織と同程度の緊締力を有するものを採用したが、大パワー編み組織よりも緊締力が弱い範囲で、編み組織の緊締力を変更することもできる。例えば、一般の靴下に用いられる編み組織よりも緊締力が強い編み組織を採用することもできる。
【０１６１】
・上記実施形態では、リブ編み組織およびメッシュ編み組織およびパイル編み組織として、一般の靴下に用いられる編み組織と同程度の伸縮性を有するものを採用したが、大パワー編み組織よりも伸縮性が低い範囲で、編み組織の伸縮性を変更することもできる。例えば、一般の靴下に用いられる編み組織よりも伸縮性が高い編み組織を採用することもできる。
【０１６２】
・上記実施形態では、靴下に本発明を適用したが、その他の足用被服についても本発明を適用することができる。本発明を適用することのできる足用被服としては、ストッキング、スパッツ、トレンカ、タイツおよび靴下カバーが挙げられる。要するに、土ふまず４００を含む足の部分を覆う靴下または足袋またはズボンまたは水着または下着または寝衣であれば、いずれの足用被服についても上記実施形態に準じた態様で本発明を適用することができる。
【０１６３】
・上記実施形態では、単一の被服として本発明の土ふまずの形状を整えるための足用被服を具体化したが、複数の被服を組み合わせたものとして本発明の足用被服を具体化することもできる。すなわち、靴下１として具体化した足用被服をズボン等の裏側に縫い付け、これを本発明の足用被服を具体化した一態様とすることもできる。なお、このような形態で本発明を実施することのできるズボンの例としては、トレーニングウェアやロンパース等が挙げられる。
【符号の説明】
【０１６４】
１…靴下、１０…足被覆部、２０…上面矯正部、２１…上面内側縁、２１Ａ…上面内前端部、２１Ｂ…上面内後端部、２２…上面前側縁、２３…上面後側縁、２４…上面外側頂点、２５…上面外側縁、２５Ａ…上面外前端部、２５Ｂ…上面外後端部、３０…下面矯正部、３１…下面内側縁、３１Ａ…下面内前端部、３１Ｂ…下面内後端部、３２…下面前側縁、３３…下面後側縁、３４…下面外側頂点、４１…上面前部、４２…上面後部、５１…下面先部、５２…下面前部、５３…下面中央内部、５４…下面中央外部、５５…下面後内部、５６…下面後中央部、５７…下面後外部、６０…開口部、７０…指被覆部、７１…第１袋部、７２…第２袋部、８０…踵部、１０１…親指、２００…中足骨、２０１…第１中足骨、２０２…第２中足骨、２０３…第３中足骨、２０４…第４中足骨、２０５…第５中足骨、３００…足根骨、３１０…楔状骨、３１１…内側楔状骨、３１２…中間楔状骨、３１３…外側楔状骨、３２０…舟状骨、３３０…立方骨、３４０…距骨、３５０…踵骨、４００…土ふまず。
【要約】
【課題】土ふまずの縦アーチをより適切に引き上げることのできる足用被服を提供する。
【解決手段】靴下１は、土ふまずを矯正するための矯正部を含むとともに、次の各条件を満たすように構成されている。（ａ）足背側に設けられて土ふまずに力を付与する部位を上面矯正部２０として、矯正部にこの上面矯正部２０が含まれる。（ｂ）上面内側縁２１の長さが上面外側頂点２４の長さよりも長い。（ｃ）上面前側縁２２および上面後側縁２３のそれぞれの少なくとも一部分が足の前後方向に対して傾斜している。
【選択図】図５【図１】
0004608027.tif 000002
【図２】
0004608027.tif 000003
【図３】
0004608027.tif 000004
【図４】
0004608027.tif 000005
【図５】
0004608027.tif 000006
【図６】
0004608027.tif 000007
【図７】
0004608027.tif 000008
【図８】
0004608027.tif 000009
【図９】
0004608027.tif 000010
【図１０】
0004608027.tif 000011
【図１１】
0004608027.tif 000012
【図１２】
0004608027.tif 000013
【図１３】
0004608027.tif 000014
【図１４】
0004608027.tif 000015